(57)【要約】【課題】正確な視聴行動率（視聴率）を算出すること。【解決手段】視聴行動率算出装置１００は、ウィジェット機能を利用して、クライアント端末からの要求に応じ、テレビ番組のデータを配信している間（ユーザがテレビ番組を視聴している間）に、配信中のテレビ番組の内容に関連するキーワードをユーザが検索したか否かの情報を取得する。そして、視聴行動率算出装置１００は、テレビ番組を視聴している全ユーザのうち、テレビ番組の内容に関連するキーワードを検索したユーザのみをテレビ番組を実際に視聴した視聴者としてカウントし、テレビ番組の視聴行動率を算出する。【選択図】  図４
2010034674.tif 000002
【特許請求の範囲】
【請求項１】
テレビ番組放送時間帯に、ユーザが前記テレビ番組の内容に関連するキーワードを検索したか否かを示す検索有無情報と前記キーワードとを取得する取得手段と、
前記取得手段が取得したキーワードに関連する情報を検索し、検索結果を前記ユーザの端末に出力する出力手段と、
前記取得手段が取得した検索有無情報に基づいて、前記テレビ番組を視聴しているユーザのうち、前記キーワードを検索したユーザのみを前記テレビ番組の視聴者としてカウントすることで当該テレビ番組の視聴行動率を算出する視聴行動率算出手段と、
を備えたことを特徴とする視聴行動率算出装置。
【請求項２】
前記テレビ番組の内容に関連するキーワードを特定し、特定したキーワードを前記ユーザの端末に出力するキーワード出力手段を更に備え、前記視聴行動率算出手段は、前記キーワード出力手段によって出力されたキーワードがユーザによって検索されたか否かを示す検索有無情報に基づいて視聴行動率を算出することを特徴とする請求項１に記載の視聴行動率算出装置。
【請求項３】
前記取得手段が取得したキーワードと前記テレビ番組の内容とを比較して、前記キーワードが前記テレビ番組の内容に関連しているか否かを判定する関連性判定手段を更に備え、前記視聴行動率算出手段は、前記関連性判定手段の判定結果を更に利用して、テレビ番組の内容に関連するキーワードを検索したユーザのみを前記テレビ番組の視聴者として当該テレビ番組の視聴行動率を算出することを特徴とする請求項１または２に記載の視聴行動率算出装置。
【請求項４】
視聴行動率算出装置が、
テレビ番組放送時間帯に、ユーザが前記テレビ番組の内容に関連するキーワードを検索したか否かを示す検索有無情報と前記キーワードとを取得して記憶装置に記憶するステップと、
前記記憶装置に記憶されたキーワードに関連する情報を検索し、検索結果を前記ユーザの端末に出力するステップと、
前記記憶装置に記憶された検索有無情報に基づいて、前記テレビ番組を視聴しているユーザのうち、前記キーワードを検索したユーザのみを前記テレビ番組の視聴者としてカウントすることで当該テレビ番組の視聴行動率を算出するステップと、
を有することを特徴とする視聴行動率算出方法。
【請求項５】
コンピュータに
テレビ番組放送時間帯に、ユーザが前記テレビ番組の内容に関連するキーワードを検索したか否かを示す検索有無情報と前記キーワードとを取得して記憶装置に記憶するステップと、
前記記憶装置に記憶されたキーワードに関連する情報を検索し、検索結果を前記ユーザの端末に出力するステップと、
前記記憶装置に記憶された検索有無情報に基づいて、前記テレビ番組を視聴しているユーザのうち、前記キーワードを検索したユーザのみを前記テレビ番組の視聴者としてカウントすることで当該テレビ番組の視聴行動率を算出するステップと、
を実行させることを特徴とする視聴行動率算出プログラム。
【発明の詳細な説明】
【技術分野】
【０００１】
本発明は、視聴行動率算出装置、視聴行動率算出方法および視聴行動率算出プログラムに関し、特に、テレビ番組の視聴行動率を正確に算出することができる視聴行動率算出装置、視聴行動率算出方法および視聴行動率算出プログラムに関する。
【背景技術】
【０００２】
従来、テレビの視聴率を調査する場合には、視聴率調査会社がランダムに選択した特定の世帯に視聴率調査端末を設置して視聴率情報（視聴者がどの番組を視聴したのかを示す情報）を収集し、収集した視聴率情報に基づいて、視聴率の算出を行っている（例えば、特許文献１参照）。
【０００３】
視聴率調査会社によって算出された視聴率は、放送局、広告会社、広告主のＣＭ（コマーシャル）の視聴世帯数を把握するための情報をとして利用される。そして、放送局、広告会社、広告主は、広告料を決める要素として視聴率を利用するため、視聴率を正確に把握することが重要になっている。
【０００４】
また、テレビ番組に対する視聴者の注目度を向上させることも重要な課題となっており、近年、放送局では、地上波デジタル放送の双方向サービス等を利用して、視聴者参加型の番組（例えば、テレビ画面に表示される選択項目の中から視聴者にクイズの答えを選択させるクイズ番組など）を制作している（例えば、非特許文献１参照）。
【０００５】
【特許文献１】特開２００８−９２５２６号公報
【非特許文献１】社団法人デジタル放送推進協会”なるほど！地上デジタル放送ガイド”、[online]、[平成２０年７月７日検索]、インターネット＜ＵＲＬ  http://www.dpa.or.jp/chideji/about/index.html＞
【発明の開示】
【発明が解決しようとする課題】
【０００６】
しかしながら、従来の視聴率を算出する方法では、必ずしも正確な視聴率を算出することができないという問題があった。なぜなら、視聴率を算出する従来の手法では、視聴者が番組を実際に視聴していない場合でも、テレビ番組が選択さえされていれば、選択されたテレビ番組を視聴者が視聴しているものとして視聴率を算出してしまうからである。
【０００７】
なお、放送局が視聴者参加型の番組を制作して、番組に対する視聴者の注目度を向上させ、視聴者が実際に選択した番組を視聴しないという状況をなくし、正確な視聴率を算出することも考えられるが、多種多用な番組を全て視聴者参加型の番組に変更することは放送局にかかる負担が大きく、現実的ではない。
【０００８】
この発明は、上述した従来技術による問題点を解消するためになされたものであり、正確な視聴率を算出することができる視聴行動率算出装置、視聴行動率算出方法および視聴行動率算出プログラムを提供することを目的とする。
【課題を解決するための手段】
【０００９】
上記課題を解決するために、本発明にかかる視聴行動率算出装置は、テレビ番組放送時間帯に、ユーザが前記テレビ番組の内容に関連するキーワードを検索したか否かを示す検索有無情報と前記キーワードとを取得する取得手段と、前記取得手段が取得したキーワードに関連する情報を検索し、検索結果を前記ユーザの端末に出力する出力手段と、前記取得手段が取得した検索有無情報に基づいて、前記テレビ番組を視聴しているユーザのうち、前記キーワードを検索したユーザのみを前記テレビ番組の視聴者としてカウントすることで当該テレビ番組の視聴行動率を算出する視聴行動率算出手段と、を備えたことを特徴とする。
【００１０】
また、本発明にかかる視聴行動率算出装置は、上記発明において、前記テレビ番組の内容に関連するキーワードを特定し、特定したキーワードを前記ユーザの端末に出力するキーワード出力手段を更に備え、前記視聴行動率算出手段は、前記キーワード出力手段によって出力されたキーワードがユーザによって検索されたか否かを示す検索有無情報に基づいて視聴行動率を算出することを特徴とする。
【００１１】
また、本発明にかかる視聴行動率算出装置は、上記発明において、前記取得手段が取得したキーワードと前記テレビ番組の内容とを比較して、前記キーワードが前記テレビ番組の内容に関連しているか否かを判定する関連性判定手段を更に備え、前記視聴行動率算出手段は、前記関連性判定手段の判定結果を更に利用して、テレビ番組の内容に関連するキーワードを検索したユーザのみを前記テレビ番組の視聴者として当該テレビ番組の視聴行動率を算出することを特徴とする。
【００１２】
また、本発明にかかる視聴行動率算出方法は、視聴行動率算出装置が、テレビ番組放送時間帯に、ユーザが前記テレビ番組の内容に関連するキーワードを検索したか否かを示す検索有無情報と前記キーワードとを取得して記憶装置に記憶するステップと、前記記憶装置に記憶されたキーワードに関連する情報を検索し、検索結果を前記ユーザの端末に出力するステップと、前記記憶装置に記憶された検索有無情報に基づいて、前記テレビ番組を視聴しているユーザのうち、前記キーワードを検索したユーザのみを前記テレビ番組の視聴者としてカウントすることで当該テレビ番組の視聴行動率を算出するステップと、を有することを特徴とする。
【００１３】
また、本発明にかかる視聴行動率算出プログラムは、コンピュータにテレビ番組放送時間帯に、ユーザが前記テレビ番組の内容に関連するキーワードを検索したか否かを示す検索有無情報と前記キーワードとを取得して記憶装置に記憶するステップと、前記記憶装置に記憶されたキーワードに関連する情報を検索し、検索結果を前記ユーザの端末に出力するステップと、前記記憶装置に記憶された検索有無情報に基づいて、前記テレビ番組を視聴しているユーザのうち、前記キーワードを検索したユーザのみを前記テレビ番組の視聴者としてカウントすることで当該テレビ番組の視聴行動率を算出するステップと、を実行させることを特徴とする。
【発明の効果】
【００１４】
本発明によれば、テレビ番組のデータを配信している間（ユーザがテレビ番組を視聴している間）に、配信中のテレビ番組の内容に関連するキーワードをユーザが検索したか否かの検索有無情報およびキーワードを取得し、テレビ番組を視聴している全ユーザのうち、テレビ番組の内容に関連するキーワードを検索したユーザのみをテレビ番組を実際に視聴した視聴者としてカウントし、テレビ番組の視聴行動率を算出するので、実際にテレビ番組を視聴していないユーザを視聴者から除外することができ、結果として、正確な視聴行動率（視聴率）を算出することができる。
【００１５】
また、本発明によれば、ユーザの入力したキーワードに関連する情報を検索し、検索結果をユーザの端末装置に出力するので、ユーザにインセンティブを与えることができ、より正確な視聴行動率を算出することができる。
【発明を実施するための最良の形態】
【００１６】
まず、本実施例にかかるテレビ情報分析装置がテレビ番組の視聴率を算出する処理の概要について説明する。テレビ情報分析装置は、ウィジェット機能を利用して、クライアント端末からの要求に応じ、テレビ番組のデータを配信している間（ユーザがテレビ番組を視聴している間）に、配信中のテレビ番組の内容に関連するキーワードをユーザが検索したか否かの情報を取得する。そして、テレビ情報分析装置は、テレビ番組を視聴している全ユーザのうち、テレビ番組の内容に関連するキーワードを検索したユーザのみをテレビ番組を実際に視聴した視聴者としてカウントし、テレビ番組の視聴率を算出する。
【００１７】
ここで、テレビ番組を実際に視聴しているユーザは、テレビ番組の内容に興味をもち、テレビ番組に関連するキーワードを検索すると考えられる。一方、実際にテレビ番組を視聴していないユーザは、テレビ番組の内容が分からず、テレビ番組に関連するキーワードを検索するとは考えにくい。
【００１８】
従って、本実施例にかかるテレビ情報分析装置のように、テレビ番組の内容に関連するキーワードを検索したユーザのみを実際にテレビ番組を視聴した視聴者としてカウントすることで、実際にテレビ番組を視聴していないユーザを視聴者から除外することができ、結果として、正確な視聴率を算出することができる。
【００１９】
以下の説明において、実際にテレビ番組を視聴していないユーザを視聴者から除外した後に算出した視聴率を視聴行動率と表記する。また、テレビ番組を選択した後、選択したテレビ番組を実際に視聴したか否かを考慮せず、従来の手法によって算出した視聴率を単に視聴率と表記する。
【００２０】
次に、本実施例にかかるシステムの構成（一例）について説明する。図１は、本実施例にかかるシステムの構成を示す図である。同図に示すように、このシステムは、放送局端末３０と、クライアント端末５０と、テレビ情報分析装置１００とを有し、ネットワーク１０によって相互に接続されている。なお、ここでは説明の便宜上、放送局端末３０、クライアント端末５０のみを示すが、このシステムは、その他にも放送局端末、クライアント端末を備えているものとする。
【００２１】
このうち、放送局端末３０は、テレビ番組に関する各種の情報（例えば、テレビ番組の映像データ、出演者、番組説明などの情報）をテレビ番組情報分析装置１００に送信する装置である。
【００２２】
クライアント端末５０は、ウィジェット機能を利用して、テレビ情報分析装置１００から配信されるテレビ番組の情報等を表示する装置である。また、クライアント端末５０は、テレビ番組の視聴中にユーザがキーワードの検索を行った場合には、検索されたキーワードの情報をテレビ番組情報分析装置１００に送信する。ユーザが検索するキーワードは、予め、テレビ情報分析装置１００によって用意されたキーワードや、ユーザ自ら検索対象として入力するキーワードが含まれる。
【００２３】
テレビ情報分析装置１００は、ウィジェット機能を利用して、テレビ番組の情報等をクライアント端末５０に配信すると共に、ユーザが検索したキーワードの情報をクライアント端末５０から取得することで、視聴率および視聴行動率を算出する装置である。
【００２４】
次に、図１に示したクライアント端末５０の構成（一例）について説明する。図２は、本実施例にかかるクライアント端末５０の構成を示す機能ブロック図である。同図に示すように、このクライアント端末５０は、入力部５１と、出力部５２と、通信制御ＩＦ部５３と、入出力制御ＩＦ部５４と、記憶部５５と、制御部５６とを有する。
【００２５】
このうち、入力部５１は、各種の情報（例えば、視聴する番組のチャンネル、キーワード等）を入力する入力手段であり、キーボードやマウス、マイクなどによって構成される。なお、後述するモニタ（出力部５２）も、マウスと協働してポインティングデバイス機能を実現する。
【００２６】
出力部５２は、各種の情報（例えば、テレビ番組の映像、音声）を出力する出力する出力手段であり、モニタ（若しくはディスプレイ、タッチパネル）やスピーカなどによって構成される。
【００２７】
通信制御ＩＦ部５３は、主にテレビ情報分析装置１００との間における通信を制御する手段である。入出力制御ＩＦ部５４は、入力部５１、出力部５２、通信制御ＩＦ部５３、記憶部５５、制御部５６によるデータの入出力を制御する手段である。
【００２８】
記憶部５５は、制御部５６による各種の処理に必要なデータおよびプログラムを記憶する記憶手段である。
【００２９】
制御部５６は、各種の処理手順を規定したプログラムや制御データを格納するための内部メモリを有し、これらによって種々の処理を実行する制御手段である。特に、本発明に密接に関連するものとしては、図２に示すように、ウィジェット制御部５６ａと、視聴行動通知部５６ｂとを有する。
【００３０】
このうち、ウィジェット制御部５６ａは、ウィジェット機能を利用して、各種の情報（カレンダー、時刻、天気予報、テレビ番組等；本実施例では特に、テレビ番組）をモニタ（出力部５２）の画面上に表示させる手段である。以下の説明において、ウィジェット制御部５６ａが各種の情報を表示する画面上の領域をウィジェットウインドウと表記する。
【００３１】
ウィジェット制御部５６ａは、入力部５１を介してユーザ識別番号と、パスワードとを受け付けた場合に、ユーザ識別番号と、パスワードとをテレビ情報分析装置１００に送信することでサービス開始要求をテレビ情報分析装置１００に対して行う。
【００３２】
ユーザ識別番号とパスワードとが正しい場合には、テレビ情報分析装置１００からのサービスが開始される。テレビ情報分析装置１００からのサービスが開始された後、ウィジェット制御部５６ａは、入力部５１を介して、ユーザが視聴を希望するテレビ番組のチャンネル情報を取得した場合には、チャンネル情報をテレビ情報分析装置１００に出力し、テレビ情報分析装置１００からチャンネル情報に対応するテレビ番組の情報を取得する。
【００３３】
テレビ情報分析装置１００から送信されるテレビ番組の情報には、テレビ番組の映像データや、テレビ番組の内容に関連したキーワードが含まれている。ウィジェット制御部５６ａは、テレビ番組の情報を取得した場合には、取得したテレビ番組の情報をウィジェットウインドウに表示させる。図３は、ウィジェットウインドウの一例を示す図である。
【００３４】
図３に示すように、このウィジェットウインドウは、テレビ映像領域と、ネット情報領域とを有する。テレビ映像領域は、テレビ番組の映像を表示するための領域である。ネット情報領域は、番組に関連するキーワードを表示する領域である。例えば、利用者が、ネット情報領域のキーワードを選択すること、キーワードに関連する情報がネット情報領域に表示される。
【００３５】
また、利用者は、検索枠にキーワードを入力することで、予めネット情報領域に表示されるキーワード以外のキーワードに関する情報がネット情報領域に表示される。以下の説明において、ウィジェットウインドウに予め表示されるキーワードを、検索キーワードと表記し、検索枠にユーザ自ら入力するキーワードを入力キーワードと表記する。
【００３６】
ここで、検索キーワードは、テレビ番組の内容に関連するキーワードである。一方、入力キーワードは、テレビ番組の内容に関連しているか否かが不明であるため、テレビ情報分析装置１００によって関連性が判定される。
【００３７】
図２の説明に戻ると、視聴行動通知部５６ｂは、テレビ番組視聴時のユーザの行動を監視し、ユーザが選択したネット情報領域中の検索キーワードや、検索枠に入力した入力キーワードの情報をテレビ情報分析装置１００に出力する手段である。
【００３８】
具体的に、視聴行動通知部５６ｂは、検索キーワードが選択された場合には、選択された検索キーワードと、ユーザ識別番号と、番組識別番号（番組識別番号は、テレビ情報分析装置から配信されるテレビ番組の情報に含まれているものとする）と、検索日時（検索キーワードが選択された日時）とをテレビ情報分析装置１００に出力する。
【００３９】
また、視聴行動通知部５６ｂは、入力キーワードが検索枠に入力された場合には、入力キーワードと、ユーザ識別情報と、番組識別番号と、検索日時（入力キーワードが入力された日時）をテレビ情報分析装置１００に出力する。
【００４０】
そして、視聴行動通知部５６ｂは、テレビ情報分析装置１００から、キーワード（検索キーワードまたは入力キーワード）に関する情報を取得した場合には、取得したキーワードに関する情報を、ウィジェットウインドウに表示させる。
【００４１】
次に、図２に示したテレビ情報分析装置１００の構成（一例）について説明する。図４は、本実施例にかかるテレビ情報分析装置１００の構成を示す機能ブロック図である。同図に示すように、このテレビ情報分析装置１００は、入力部１０１と、出力部１０２と、通信制御ＩＦ部１０３と、入出力制御ＩＦ部１０４と、記憶部１０５と、制御部１０６とを有する。
【００４２】
このうち、入力部１０１は、各種の情報を入力する入力手段であり、キーボードやマウス、マイクなどによって構成される。なお、後述するモニタ（出力部５２）も、マウスと協働してポインティングデバイス機能を実現する。
【００４３】
出力部１０２は、各種の情報を出力する出力手段であり、モニタ（若しくはディスプレイ、タッチパネル）やスピーカなどによって構成される。
【００４４】
通信制御ＩＦ部１０３は、主に放送局端末３０、クライアント端末５０との間における通信を制御する手段である。入出力制御ＩＦ部１０４は、入力部１０１、出力部１０２、通信制御ＩＦ部１０３、記憶部１０５、制御部１０６によるデータの入出力を制御する手段である。
【００４５】
記憶部１０５は、制御部１０６による各種の処理に必要なデータおよびプログラムを記憶する記憶手段である。図４に示すように、この記憶部１０５は、ユーザ管理テーブル１０５ａと、テレビ番組情報管理テーブル１０５ｂと、入力キーワード管理テーブル１０５ｃと、検索キーワード管理テーブル１０５ｄと、視聴状況管理テーブル１０５ｅと、視聴率算出結果データ１０５ｆとを有する。
【００４６】
このうち、ユーザ管理テーブル１０５ａは、サービス提供対象となるユーザを認証する場合に利用されるテーブルであり、例えば、ユーザ識別番号とパスワードとを対応付けて記憶している。
【００４７】
テレビ番組情報管理テーブル１０５ｂは、テレビ番組に関する各種の情報を記憶するテーブルである。図５は、本実施例にかかるテレビ番組情報管理テーブル１０５ｂのデータ構造の一例を示す図である。
【００４８】
図５に示すように、このテレビ番組情報管理テーブル１０５ｂは、番組識別番号と、番組名と、チャンネルと、ジャンルと、放送日時と、出演者と、番組説明と、配信番組データと、検索キーワードと、ＵＲＬ（Uniform  Resource  Locator）とを有する。
【００４９】
図５において、番組説明は、テレビ番組の内容やストーリーなどを含んだ情報であり、配信番組データは、テレビ番組の映像データである。検索キーワードは、テレビ番組に関連するキーワードである。例えば、番組識別番号「１００１」の検索キーワード「おすすめ映画」は、番組名「○×映画劇場」に関連するキーワードである。なお、ＵＲＬは、検索キーワードに関連する情報の場所（例えば、ネット上のアドレス）を指定するデータである。
【００５０】
入力キーワード管理テーブル１０５ｃは、ウィジェットウインドウの検索枠に入力されたキーワードを管理するテーブルである。図６は、本実施例にかかる入力キーワード管理テーブル１０５ｃのデータ構造の一例を示す図である。
【００５１】
図６に示すように、この入力キーワード管理テーブル１０５ｃは、ユーザ識別番号と、番組識別番号と、検索日時と、入力キーワードと、関連性判定結果とを対応付けて記憶している。このうち、ユーザ識別番号は、入力キーワードを入力したユーザを識別する情報であり、番組識別番号は、ユーザが入力キーワードを入力した際に放送されていたテレビ番組を識別する情報である。
【００５２】
また、検索日時は、ユーザが入力キーワードを入力した日時を示す。関連性判定結果は、入力キーワードが、該当するテレビ番組に関連しているか否かを示す情報であり、関連性判定結果が「１」の場合には関連しており、「０」の場合には関連していない旨を示す。例えば、入力キーワード「木村五郎」は、関連性判定結果が「１」であるため、番組識別番号「１００３」の番組に関連している。関連性の有無は、後述する関連性判定処理部１０６ｆによって判定される。
【００５３】
検索キーワード管理テーブル１０５ｄは、ウィジェットウインドウに予め表示される検索キーワードの選択状況を管理するテーブルである。図７は、本実施例にかかる検索キーワード管理テーブル１０５ｄのデータ構造の一例を示す図である。
【００５４】
図７に示すように、この検索キーワード管理テーブル１０５ｄは、ユーザ識別番号と、番組識別番号と、検索日時とを対応付けて記憶している。このうち、ユーザ識別番号は、検索キーワードを検索したユーザを識別する情報であり、番組識別番号は、ユーザが検索キーワードを検索した際に放送されていたテレビ番組を識別する情報である。
【００５５】
視聴状況管理テーブル１０５ｅは、テレビ番組を使用している間に、ユーザが視聴行動を起こしたか否かを管理するテーブルである。ここで、テレビ番組の視聴中にユーザが、検索キーワードを検索した場合には、ユーザはテレビ番組に対して視聴行動を起こしたことになる。あるいは、テレビ番組の視聴中にユーザが、入力キーワードを検索し、検索した入力キーワードが視聴中の番組に関連していれば、ユーザは、テレビ番組に対して視聴行動を起こしたことになる。
【００５６】
図８は、本実施例にかかる視聴状況管理テーブル１０５ｅのデータ構造の一例を示す図である。図８に示すように、この視聴状況管理テーブル１０５ｅは、ユーザ識別番号と、番組識別番号と、視聴日時と、視聴行動フラグとを対応付けて記憶している。
【００５７】
このうち、視聴行動フラグは、テレビ番組の視聴中に視聴行動をおこしたか否かを示す情報である。例えば、図８の１段目では、視聴行動フラグが「オン」となっているため、ユーザ識別番号「２００１」のユーザは、番組識別番号「１００３」の番組視聴中に、視聴行動を起こした旨の情報が登録されている。本実施例では、視聴行動率を算出する場合に、視聴行動フラグがオンとなっているユーザのみをテレビ番組の視聴者としてカウントし、視聴行動率を算出する。
【００５８】
視聴率算出結果データ１０５ｆは、視聴行動率および視聴率の算出結果を管理するテーブルである。図９は、本実施例にかかる視聴率算出結果データ１０５ｆのデータ構造の一例を示す図である。図９に示すように、この視聴率算出結果データ１０５ｆは、番組識別番号と、視聴率と、視聴行動率とを対応付けて記憶している。
【００５９】
図４の説明に戻ると、制御部１０６は、各種の処理手順を規定したプログラムや制御データを格納するための内部メモリを有し、これらによって種々の処理を実行する制御手段である。特に、本発明に密接に関連するものとしては、図４に示すように、認証処理部１０６ａと、番組配信処理部１０６ｂと、入力キーワード抽出部１０６ｃと、検索キーワード抽出部１０６ｄと、視聴状況管理部１０６ｅと、関連性判定処理部１０６ｆと、視聴行動率算定部１０６ｇとを有する。
【００６０】
このうち、認証処理部１０６ａは、サービス対象のユーザを認証する手段である。例えば、認証処理部１０６ａは、クライアント端末５０からユーザ識別番号と、パスワードとを受信して、サービス提供要求を受け付けた場合に、受信したユーザ識別番号、パスワードと、ユーザ管理テーブルとを比較することで、サービス対象のユーザを認証する。
【００６１】
認証処理部１０６ａが認証した結果、クライアント端末５０から送信されたユーザ識別番号およびパスワードが適切である場合には、テレビ情報分析装置１００は、クライアント端末５０に対するサービス提供を開始する。
【００６２】
番組配信処理部１０６ｂは、テレビ番組情報管理テーブル１０５ｂを参照し、ユーザが視聴を希望するテレビ番組の情報をクライアント端末５０に出力する手段である。例えば、番組配信処理部１０６ｂが、チャンネル「１」のテレビ番組の視聴を要求された場合には、テレビ番組情報管理テーブル１０５ｂを参照し、番組識別番号「１００１」に対応する各種の情報（番組識別番号、番組名、チャンネル、ジャンル、放送日時、出演者、番組説明、配信番組データ、検索キーワード、ＵＲＬ）をクライアント端末５０に出力する。
【００６３】
なお、番組配信処理部１０６ｂは、放送局端末３０からテレビ番組に関する各種の情報を受信した場合には、受信した各種の情報をテレビ番組情報管理テーブル１０５ｂに登録する。
【００６４】
入力キーワード抽出部１０６ｃは、クライアント端末５０から、入力キーワードと、ユーザ識別番号と、番組識別番号と、検索日時とからなる情報を受信した場合に、受信した各種の情報を入力キーワード管理テーブル１０５ｃに登録する手段である。なお、関連性判定結果の初期値は０となる。
【００６５】
また、入力キーワード抽出部１０６ｃは、入力キーワードに関連する情報をネット上から検索し、検索結果をクライアント端末５０に出力する。なお、入力キーワード抽出部１０６ｃが入力キーワードに関連する情報をネット上から検索する手法は、周知技術を用いる。
【００６６】
検索キーワード抽出部１０６ｄは、クライアント端末５０から、検索キーワードと、ユーザ識別番号と、番組識別番号と、検索日時とからなる情報を受信した場合に、受信した各種の情報を検索キーワード管理テーブル１０５ｄに登録する手段である。
【００６７】
また、検索キーワード抽出部１０６ｄは、検索キーワードに対応するＵＲＬをテレビ番組情報管理テーブル１０５ｂから取得し、取得したＵＲＬに基づいて、ネット上から検索キーワードに関連する情報から検索する。検索キーワード抽出部１０６ｄは、検索キーワードに関連する情報をクライアント端末５０に出力する。
【００６８】
視聴状況管理部１０６ｅは、テレビ番組に対するユーザの視聴状況を監視し、視聴状況管理テーブル１０５ｅを更新する手段である。例えば、視聴状況管理部１０６ｅは、番組配信処理部１０６ｂが、ユーザ識別番号「２００１」のユーザが利用するクライアント端末に番組識別番号「１００３」のテレビ番組を「７月１０日  １８時５分〜７月１０日  １８時４５分」まで配信した場合には、図８の視聴状況管理テーブル１０５ｅの一段目に示す各情報が登録される。
【００６９】
また、視聴状況管理部１０６ｅは、ユーザ識別番号と、番組識別番号と、入力キーワード管理テーブル１０５ｃと、検索キーワード管理テーブル１０５ｄとを比較して、ユーザがテレビ番組視聴中に、視聴行動を起こしたか否かを判定する。視聴状況管理部１０６ｅは、ユーザがテレビの視聴中に視聴行動を起こしたと判定した場合には、視聴行動フラグをオンに設定する。なお、視聴行動フラグの初期設定はオフとなっている。
【００７０】
ここで、視聴状況管理部１０６ｅが、ユーザの視聴行動を判定する処理について具体的に説明する。視聴状況管理部１０６ｅは、まず、視聴状況管理テーブル１０５ｅの各段を参照して、ユーザ識別番号と、番組識別番号との組合せを抽出し、抽出したユーザ識別番号と、番組識別番号との組合せが検索キーワード管理テーブル１０５ｄに存在するか否かを判定する。視聴状況管理部１０６ｅは、ユーザ識別番号と番組識別番号との組合せが検索キーワード管理テーブル１０５ｄに存在する場合には、ユーザがテレビ番組の視聴中に視聴行動を起こしたと判定する。
【００７１】
例えば、視聴状況管理部１０６ｅが、視聴状況管理テーブル１０５ｅから、ユーザ識別番号「２００１」と、番組識別番号「１００３」とを抽出し（図８の１段目参照）、検索キーワード管理テーブル１０５ｄを参照すると、ユーザ識別番号「２００１」と番組識別番号「１００３」との組合せが存在する（図７の１段目参照）。従って、視聴状況管理部１０６ｅは、ユーザ（ユーザ識別番号「２００１」のユーザ）がテレビ番組（番組識別番号「１００３」のテレビ番組）の視聴中に、視聴行動を起こしたと判定する。
【００７２】
視聴状況管理部１０６ｅは、検索キーワード管理テーブル１０５ｄとの比較により、ユーザがテレビ番組の視聴中に視聴行動を起こしていないと判定した場合には、入力キーワード管理テーブル１０５ｃとの比較により、ユーザがテレビ番組の視聴中に視聴行動を起こしたか否かを再度判定する。
【００７３】
視聴状況管理部１０６ｅは、ユーザ識別番号と番組識別番号との組合せが、入力キーワード管理テーブル１０５ｃに存在し、かつ、関連性判定結果が「１」となっているか否かを判定する。視聴状況管理部１０６ｅは、ユーザ識別番号と番組識別番号との組合せが、入力キーワード管理テーブル１０５ｃに存在し、かつ、関連性判定結果が「１」となっている場合には、ユーザがテレビ番組の視聴中に視聴行動を起こしたと判定する。
【００７４】
例えば、ユーザ識別番号「２００２」と番組識別番号「１００１」との組合せは、入力キーワード管理テーブル１０５ｃに存在し、かつ、かかる組合せに対応する関連性判定結果が「１」となっている（図６の３段目参照）。従って、ユーザ（ユーザ識別番号「２００２」のユーザ）がテレビ番組（番組識別番号「１００１」のテレビ番組）の視聴中に、視聴行動を起こしたと判定する。
【００７５】
関連性判定処理部１０６ｆは、テレビ番組情報管理テーブル１０５ｂと、入力キーワード管理テーブル１０５ｃとを基にして類似度を算出し、算出した類似度によって番組視聴中にユーザが入力した入力キーワードが、視聴中のテレビ番組に関連しているか否かを判定する手段である。
【００７６】
具体的に、関連性判定処理部１０６ｆは、判定対象となる入力キーワードと、対応する番組識別番号とを入力キーワード管理テーブル１０５ｃから抽出すると共に、抽出した番組識別番号に対応するテレビ番組の各種情報（例えば、番組名、ジャンル、出演者、番組説明）をテレビ番組情報管理テーブル１０５ｂから抽出する。
【００７７】
そして、テレビ番組の各種情報に対して形態素解析を実行して各キーワードに分解し、各キーワードと、入力キーワードとの類似度を算出する。ここで、類似度を算出する手法は、いかなる周知技術を用いても構わない。例えば、各キーワードと入力キーワードとをベクトルに変換し、コサイン法などを用いて入力キーワードと、各キーワードとの類似度を算出しても良い。あるいは、シソーラスとコーパスのデータの共起情報とから求めたパラメータに基づき、２つの単語間の距離を算出することで、類似度を算出しても良い（例えば、特開２００５−３８１６２号公報参照）。
【００７８】
関連性判定処理部１０６ｆは、テレビ番組の各キーワードと、入力キーワードとの類似度が所定値以上の場合には、入力キーワードに対応する関連性判定結果を「１」に設定し、所定値未満の場合には、入力キーワードに対応する関連性判定結果を「０」に設定する。
【００７９】
視聴行動率算出部１０６ｇは、視聴状況管理テーブル１０５ｅに基づいて、視聴行動率と視聴率とを算出し、算出結果を視聴率算出結果データ１０５ｆに登録する手段である。視聴行動率算出部１０６ｇは、視聴行動率を算出する場合には、視聴状況管理テーブル１０５ｅを参照し、視聴行動フラグがオンとなっているユーザ識別番号のユーザを、実際にテレビ番組を視聴した視聴者としてカウントし、カウントした視聴者と、全体の視聴者（各番組の視聴者）との割合から、視聴行動率を算出する。
【００８０】
また、視聴行動率算出部１０６ｇは、視聴状況管理テーブル１０５ｅを参照し、視聴行動フラグのオンオフに限らず、テレビ番組の視聴者をカウントし、カウントした視聴者と、全体の視聴者との割合から視聴率を算出する。
【００８１】
次に、本実施例にかかるテレビ情報分析装置１００の処理手順について説明する。図１０は、本実施例にかかるテレビ情報分析装置１００の処理手順を示すフローチャートである。図１０に示すように、テレビ情報分析装置１００は、クライアント端末５０からサービス要求を受信し（ステップＳ１０１）、番組配信処理部１０６ｂが、テレビ番組の配信を行う（ステップＳ１０２）。
【００８２】
そして、検索キーワード抽出部１０６ｄが、検索キーワードが選択されたか否かを判定し（ステップＳ１０３）、検索キーワードが選択されていない場合には（ステップＳ１０４，Ｎｏ）、ステップＳ１０６に移行する。
【００８３】
一方、検索キーワードが選択された場合には（ステップＳ１０４，Ｙｅｓ）、検索キーワード抽出部１０６ｄが、検索キーワード管理テーブル１０５ｄを更新し（ステップＳ１０５）、入力キーワード抽出部１０６ｃが、入力キーワードが入力されたか否かを判定する（ステップＳ１０６）。
【００８４】
入力キーワードが入力されていない場合には（ステップＳ１０７，Ｎｏ）、ステップＳ１０９に移行する。一方、入力キーワードが入力された場合には（ステップＳ１０７，Ｙｅｓ）、入力キーワード抽出部１０６ｃが、入力キーワード管理テーブル１０５ｃを更新する（ステップＳ１０８）。
【００８５】
そして、番組配信処理部１０６ｂは、テレビ番組の配信が終了したか否かを判定し（ステップＳ１０９）、終了していない場合には（ステップＳ１１０，Ｎｏ）、テレビ番組の配信を継続し（ステップＳ１１１）、ステップＳ１０３に移行する。
【００８６】
一方、テレビ番組の配信が終了した場合には（ステップＳ１１０，Ｙｅｓ）、番組配信処理部１０６ｂは、テレビ番組の配信を停止し（ステップＳ１１２）、視聴状況管理部１０６ｅが視聴状況管理テーブル１０５ｅを更新する（ステップＳ１１３）。
【００８７】
関連性判定処理部１０６ｆは、入力キーワード管理テーブル１０５ｃの入力キーワードの関連性を判定し、判定結果を登録し（ステップＳ１１４）、視聴行動率算出部１０６ｇは、視聴率および視聴行動率を算出する（ステップＳ１１５）。
【００８８】
上述してきたように、本実施例にかかるテレビ番組分析装置１００は、ウィジェット機能を利用して、クライアント端末からの要求に応じ、テレビ番組のデータを配信している間（ユーザがテレビ番組を視聴している間）に、配信中のテレビ番組の内容に関連するキーワードをユーザが検索したか否かの情報を取得する。そして、テレビ情報分析装置１００は、テレビ番組を視聴している全ユーザのうち、テレビ番組の内容に関連するキーワードを検索したユーザのみをテレビ番組を実際に視聴した視聴者としてカウントし、テレビ番組の視聴行動率を算出するので、実際にテレビ番組を視聴していないユーザを視聴者から除外することができ、結果として、正確な視聴行動率を算出することができる。
【００８９】
なお、上記の実施例において説明したテレビ情報分析装置１００の視聴率算出方法をコンピュータが実行可能な形式で記述した視聴率算出プログラムを生成し、この視聴率算出プログラムをコンピュータに実行させることにより、本発明のテレビ分析装置１００と同様の処理を実現することも可能である。このとき、視聴率算出プログラムをコンピュータが読取可能な記憶媒体に記憶させ、記憶媒体を用いてコンピュータに視聴率算出プログラムを導入することも可能である。
【産業上の利用可能性】
【００９０】
本発明は、実際にテレビ番組を視聴していないユーザを視聴から除外し、正確に視聴率を算出する必要がある場合に適用することができる。
【図面の簡単な説明】
【００９１】
【図１】本実施例にかかるシステムの構成を示す図である。
【図２】本実施例にかかるクライアント端末の構成を示す機能ブロック図である。
【図３】ウィジェットウインドウの一例を示す図である。
【図４】本実施例にかかるテレビ情報分析装置の構成を示す機能ブロック図である。
【図５】本実施例にかかるテレビ番組情報管理テーブルのデータ構造の一例を示す図である。
【図６】本実施例にかかる入力キーワード管理テーブルのデータ構造の一例を示す図である。
【図７】本実施例にかかる検索キーワード管理テーブルのデータ構造の一例を示す図である。
【図８】本実施例にかかる視聴状況管理テーブルのデータ構造の一例を示す図である。
【図９】本実施例にかかる視聴率算出結果データのデータ構造の一例を示す図である。
【図１０】本実施例にかかるテレビ情報分析装置の処理手順を示すフローチャートである。
【符号の説明】
【００９２】
１０    ネットワーク
３０    放送局端末
５０    クライアント端末
５１，１０１    入力部
５２，１０２    出力部
５３，１０３    通信制御ＩＦ部
５４，１０４    入出力制御ＩＦ部
５５，１０５    記憶部
５６，１０６    制御部
５６ａ  ウィジェット制御部
５６ｂ  視聴行動通知部
１００    テレビ情報分析装置
１０５ａ  ユーザ管理テーブル
１０５ｂ  テレビ番組情報管理テーブル
１０５ｃ  入力キーワード管理テーブル
１０５ｄ  検索キーワード管理テーブル
１０５ｅ  視聴状況管理テーブル
１０５ｆ  視聴率算出結果データ
１０６ａ  認証処理部
１０６ｂ  番組配信処理部
１０６ｃ  入力キーワード抽出部
１０６ｄ  検索キーワード抽出部
１０６ｅ  視聴状況管理部
１０６ｆ  関連性判定処理部
１０６ｇ  視聴行動率算出部
【図１】
2010034674.tif 000003
【図２】
2010034674.tif 000004
【図３】
2010034674.tif 000005
【図４】
2010034674.tif 000006
【図５】
2010034674.tif 000007
【図６】
2010034674.tif 000008
【図７】
2010034674.tif 000009
【図８】
2010034674.tif 000010
【図９】
2010034674.tif 000011
【図１０】
2010034674.tif 000012
【手続補正書】
【提出日】平成21年9月2日(2009.9.2)
【手続補正１】
【補正対象書類名】明細書
【補正対象項目名】全文
【補正方法】変更
【補正の内容】
【発明の詳細な説明】
【技術分野】
【０００１】
本発明は、視聴行動率算出装置、視聴行動率算出方法および視聴行動率算出プログラムに関し、特に、テレビ番組の視聴行動率を正確に算出することができる視聴行動率算出装置、視聴行動率算出方法および視聴行動率算出プログラムに関する。
【背景技術】
【０００２】
従来、テレビの視聴率を調査する場合には、視聴率調査会社がランダムに選択した特定の世帯に視聴率調査端末を設置して視聴率情報（視聴者がどの番組を視聴したのかを示す情報）を収集し、収集した視聴率情報に基づいて、視聴率の算出を行っている（例えば、特許文献１参照）。
【０００３】
視聴率調査会社によって算出された視聴率は、放送局、広告会社、広告主のＣＭ（コマーシャル）の視聴世帯数を把握するための情報として利用される。そして、放送局、広告会社、広告主は、広告料を決める要素として視聴率を利用するため、視聴率を正確に把握することが重要になっている。
【０００４】
また、テレビ番組に対する視聴者の注目度を向上させることも重要な課題となっており、近年、放送局では、地上波デジタル放送の双方向サービス等を利用して、視聴者参加型の番組（例えば、テレビ画面に表示される選択項目の中から視聴者にクイズの答えを選択させるクイズ番組など）を制作している（例えば、非特許文献１参照）。
【０００５】
【特許文献１】特開２００８−９２５２６号公報
【非特許文献１】社団法人デジタル放送推進協会”なるほど！地上デジタル放送ガイド”、[online]、[平成２０年７月７日検索]、インターネット＜ＵＲＬ  http://www.dpa.or.jp/chideji/about/index.html＞
【発明の開示】
【発明が解決しようとする課題】
【０００６】
しかしながら、従来の視聴率を算出する方法では、必ずしも正確な視聴率を算出することができないという問題があった。なぜなら、視聴率を算出する従来の手法では、視聴者が番組を実際に視聴していない場合でも、テレビ番組が選択さえされていれば、選択されたテレビ番組を視聴者が視聴しているものとして視聴率を算出してしまうからである。
【０００７】
なお、放送局が視聴者参加型の番組を制作して、番組に対する視聴者の注目度を向上させ、視聴者が実際に選択した番組を視聴しないという状況をなくし、正確な視聴率を算出することも考えられるが、多種多用な番組を全て視聴者参加型の番組に変更することは放送局にかかる負担が大きく、現実的ではない。
【０００８】
この発明は、上述した従来技術による問題点を解消するためになされたものであり、正確な視聴率を算出することができる視聴行動率算出装置、視聴行動率算出方法および視聴行動率算出プログラムを提供することを目的とする。
【課題を解決するための手段】
【０００９】
上記課題を解決するために、本発明にかかる視聴行動率算出装置は、テレビ番組放送時間帯に、ユーザが前記テレビ番組の内容に関連するキーワードを検索したか否かを示す検索有無情報と前記キーワードとを取得する取得手段と、前記取得手段が取得したキーワードに関連する情報を検索し、検索結果を前記ユーザの端末に出力する出力手段と、前記取得手段が取得した検索有無情報に基づいて、前記テレビ番組を視聴しているユーザのうち、前記キーワードを検索したユーザのみを前記テレビ番組の視聴者としてカウントすることで当該テレビ番組の視聴行動率を算出する視聴行動率算出手段と、を備えたことを特徴とする。
【００１０】
また、本発明にかかる視聴行動率算出装置は、上記発明において、前記テレビ番組の内容に関連するキーワードを特定し、特定したキーワードを前記ユーザの端末に出力するキーワード出力手段を更に備え、前記視聴行動率算出手段は、前記キーワード出力手段によって出力されたキーワードがユーザによって検索されたか否かを示す検索有無情報に基づいて視聴行動率を算出することを特徴とする。
【００１１】
また、本発明にかかる視聴行動率算出装置は、上記発明において、前記取得手段が取得したキーワードと前記テレビ番組の内容とを比較して、前記キーワードが前記テレビ番組の内容に関連しているか否かを判定する関連性判定手段を更に備え、前記視聴行動率算出手段は、前記関連性判定手段の判定結果を更に利用して、テレビ番組の内容に関連するキーワードを検索したユーザのみを前記テレビ番組の視聴者として当該テレビ番組の視聴行動率を算出することを特徴とする。
【００１２】
また、本発明にかかる視聴行動率算出方法は、視聴行動率算出装置が、テレビ番組放送時間帯に、ユーザが前記テレビ番組の内容に関連するキーワードを検索したか否かを示す検索有無情報と前記キーワードとを取得して記憶装置に記憶するステップと、前記記憶装置に記憶されたキーワードに関連する情報を検索し、検索結果を前記ユーザの端末に出力するステップと、前記記憶装置に記憶された検索有無情報に基づいて、前記テレビ番組を視聴しているユーザのうち、前記キーワードを検索したユーザのみを前記テレビ番組の視聴者としてカウントすることで当該テレビ番組の視聴行動率を算出するステップと、を有することを特徴とする。
【００１３】
また、本発明にかかる視聴行動率算出プログラムは、コンピュータにテレビ番組放送時間帯に、ユーザが前記テレビ番組の内容に関連するキーワードを検索したか否かを示す検索有無情報と前記キーワードとを取得して記憶装置に記憶するステップと、前記記憶装置に記憶されたキーワードに関連する情報を検索し、検索結果を前記ユーザの端末に出力するステップと、前記記憶装置に記憶された検索有無情報に基づいて、前記テレビ番組を視聴しているユーザのうち、前記キーワードを検索したユーザのみを前記テレビ番組の視聴者としてカウントすることで当該テレビ番組の視聴行動率を算出するステップと、を実行させることを特徴とする。
【発明の効果】
【００１４】
本発明によれば、テレビ番組のデータを配信している間（ユーザがテレビ番組を視聴している間）に、配信中のテレビ番組の内容に関連するキーワードをユーザが検索したか否かの検索有無情報およびキーワードを取得し、テレビ番組を視聴している全ユーザのうち、テレビ番組の内容に関連するキーワードを検索したユーザのみをテレビ番組を実際に視聴した視聴者としてカウントし、テレビ番組の視聴行動率を算出するので、実際にテレビ番組を視聴していないユーザを視聴者から除外することができ、結果として、正確な視聴行動率（視聴率）を算出することができる。
【００１５】
また、本発明によれば、ユーザの入力したキーワードに関連する情報を検索し、検索結果をユーザの端末装置に出力するので、ユーザにインセンティブを与えることができ、より正確な視聴行動率を算出することができる。
【発明を実施するための最良の形態】
【００１６】
まず、本実施例にかかる視聴行動率算出装置がテレビ番組の視聴率を算出する処理の概要について説明する。視聴行動率算出装置は、ウィジェット機能を利用して、クライアント端末からの要求に応じ、テレビ番組のデータを配信している間（ユーザがテレビ番組を視聴している間）に、配信中のテレビ番組の内容に関連するキーワードをユーザが検索したか否かの情報を取得する。そして、視聴行動率算出装置は、テレビ番組を視聴している全ユーザのうち、テレビ番組の内容に関連するキーワードを検索したユーザのみをテレビ番組を実際に視聴した視聴者としてカウントし、テレビ番組の視聴率を算出する。
【００１７】
ここで、テレビ番組を実際に視聴しているユーザは、テレビ番組の内容に興味をもち、テレビ番組に関連するキーワードを検索すると考えられる。一方、実際にテレビ番組を視聴していないユーザは、テレビ番組の内容が分からず、テレビ番組に関連するキーワードを検索するとは考えにくい。
【００１８】
従って、本実施例にかかる視聴行動率算出装置のように、テレビ番組の内容に関連するキーワードを検索したユーザのみを実際にテレビ番組を視聴した視聴者としてカウントすることで、実際にテレビ番組を視聴していないユーザを視聴者から除外することができ、結果として、正確な視聴率を算出することができる。
【００１９】
以下の説明において、実際にテレビ番組を視聴していないユーザを視聴者から除外した後に算出した視聴率を視聴行動率と表記する。また、テレビ番組を選択した後、選択したテレビ番組を実際に視聴したか否かを考慮せず、従来の手法によって算出した視聴率を単に視聴率と表記する。
【００２０】
次に、本実施例にかかるシステムの構成（一例）について説明する。図１は、本実施例にかかるシステムの構成を示す図である。同図に示すように、このシステムは、放送局端末３０と、クライアント端末５０と、視聴行動率算出装置１００とを有し、ネットワーク１０によって相互に接続されている。なお、ここでは説明の便宜上、放送局端末３０、クライアント端末５０のみを示すが、このシステムは、その他にも放送局端末、クライアント端末を備えているものとする。
【００２１】
このうち、放送局端末３０は、テレビ番組に関する各種の情報（例えば、テレビ番組の映像データ、出演者、番組説明などの情報）を視聴行動率算出装置１００に送信する装置である。
【００２２】
クライアント端末５０は、ウィジェット機能を利用して、視聴行動率算出装置１００から配信されるテレビ番組の情報等を表示する装置である。また、クライアント端末５０は、テレビ番組の視聴中にユーザがキーワードの検索を行った場合には、検索されたキーワードの情報を視聴行動率算出装置１００に送信する。ユーザが検索するキーワードは、予め、視聴行動率算出装置１００によって用意されたキーワードや、ユーザ自ら検索対象として入力するキーワードが含まれる。
【００２３】
視聴行動率算出装置１００は、ウィジェット機能を利用して、テレビ番組の情報等をクライアント端末５０に配信すると共に、ユーザが検索したキーワードの情報をクライアント端末５０から取得することで、視聴率および視聴行動率を算出する装置である。
【００２４】
次に、図１に示したクライアント端末５０の構成（一例）について説明する。図２は、本実施例にかかるクライアント端末５０の構成を示す機能ブロック図である。同図に示すように、このクライアント端末５０は、入力部５１と、出力部５２と、通信制御ＩＦ部５３と、入出力制御ＩＦ部５４と、記憶部５５と、制御部５６とを有する。
【００２５】
このうち、入力部５１は、各種の情報（例えば、視聴する番組のチャンネル、キーワード等）を入力する入力手段であり、キーボードやマウス、マイクなどによって構成される。なお、後述するモニタ（出力部５２）も、マウスと協働してポインティングデバイス機能を実現する。
【００２６】
出力部５２は、各種の情報（例えば、テレビ番組の映像、音声）を出力する出力手段であり、モニタ（若しくはディスプレイ、タッチパネル）やスピーカなどによって構成される。
【００２７】
通信制御ＩＦ部５３は、主に視聴行動率算出装置１００との間における通信を制御する手段である。入出力制御ＩＦ部５４は、入力部５１、出力部５２、通信制御ＩＦ部５３、記憶部５５、制御部５６によるデータの入出力を制御する手段である。
【００２８】
記憶部５５は、制御部５６による各種の処理に必要なデータおよびプログラムを記憶する記憶手段である。
【００２９】
制御部５６は、各種の処理手順を規定したプログラムや制御データを格納するための内部メモリを有し、これらによって種々の処理を実行する制御手段である。特に、本発明に密接に関連するものとしては、図２に示すように、ウィジェット制御部５６ａと、視聴行動通知部５６ｂとを有する。
【００３０】
このうち、ウィジェット制御部５６ａは、ウィジェット機能を利用して、各種の情報（カレンダー、時刻、天気予報、テレビ番組等；本実施例では特に、テレビ番組）をモニタ（出力部５２）の画面上に表示させる手段である。以下の説明において、ウィジェット制御部５６ａが各種の情報を表示する画面上の領域をウィジェットウインドウと表記する。
【００３１】
ウィジェット制御部５６ａは、入力部５１を介してユーザ識別番号と、パスワードとを受け付けた場合に、ユーザ識別番号と、パスワードとを視聴行動率算出装置１００に送信することでサービス開始要求を視聴行動率算出装置１００に対して行う。
【００３２】
ユーザ識別番号とパスワードとが正しい場合には、視聴行動率算出装置１００からのサービスが開始される。視聴行動率算出装置１００からのサービスが開始された後、ウィジェット制御部５６ａは、入力部５１を介して、ユーザが視聴を希望するテレビ番組のチャンネル情報を取得した場合には、チャンネル情報を視聴行動率算出装置１００に出力し、視聴行動率算出装置１００からチャンネル情報に対応するテレビ番組の情報を取得する。
【００３３】
視聴行動率算出装置１００から送信されるテレビ番組の情報には、テレビ番組の映像データや、テレビ番組の内容に関連したキーワードが含まれている。ウィジェット制御部５６ａは、テレビ番組の情報を取得した場合には、取得したテレビ番組の情報をウィジェットウインドウに表示させる。図３は、ウィジェットウインドウの一例を示す図である。
【００３４】
図３に示すように、このウィジェットウインドウは、テレビ映像領域と、ネット情報領域とを有する。テレビ映像領域は、テレビ番組の映像を表示するための領域である。ネット情報領域は、番組に関連するキーワードを表示する領域である。例えば、利用者が、ネット情報領域のキーワードを選択すること、キーワードに関連する情報がネット情報領域に表示される。
【００３５】
また、利用者は、検索枠にキーワードを入力することで、予めネット情報領域に表示されるキーワード以外のキーワードに関する情報がネット情報領域に表示される。以下の説明において、ウィジェットウインドウに予め表示されるキーワードを、検索キーワードと表記し、検索枠にユーザ自ら入力するキーワードを入力キーワードと表記する。
【００３６】
ここで、検索キーワードは、テレビ番組の内容に関連するキーワードである。一方、入力キーワードは、テレビ番組の内容に関連しているか否かが不明であるため、視聴行動率算出装置１００によって関連性が判定される。
【００３７】
図２の説明に戻ると、視聴行動通知部５６ｂは、視聴行動率算出装置のユーザの行動を監視し、ユーザが選択したネット情報領域中の検索キーワードや、検索枠に入力した入力キーワードの情報を視聴行動率算出装置１００に出力する手段である。
【００３８】
具体的に、視聴行動通知部５６ｂは、検索キーワードが選択された場合には、選択された検索キーワードと、ユーザ識別番号と、番組識別番号（番組識別番号は、視聴行動率算出装置から配信されるテレビ番組の情報に含まれているものとする）と、検索日時（検索キーワードが選択された日時）とを視聴行動率算出装置１００に出力する。
【００３９】
また、視聴行動通知部５６ｂは、入力キーワードが検索枠に入力された場合には、入力キーワードと、ユーザ識別情報と、番組識別番号と、検索日時（入力キーワードが入力された日時）を視聴行動率算出装置１００に出力する。
【００４０】
そして、視聴行動通知部５６ｂは、視聴行動率算出装置１００から、キーワード（検索キーワードまたは入力キーワード）に関する情報を取得した場合には、取得したキーワードに関する情報を、ウィジェットウインドウに表示させる。
【００４１】
次に、図１に示した視聴行動率算出装置１００の構成（一例）について説明する。図４は、本実施例にかかる視聴行動率算出装置１００の構成を示す機能ブロック図である。同図に示すように、この視聴行動率算出装置１００は、入力部１０１と、出力部１０２と、通信制御ＩＦ部１０３と、入出力制御ＩＦ部１０４と、記憶部１０５と、制御部１０６とを有する。
【００４２】
このうち、入力部１０１は、各種の情報を入力する入力手段であり、キーボードやマウス、マイクなどによって構成される。なお、後述するモニタ（出力部１０２）も、マウスと協働してポインティングデバイス機能を実現する。
【００４３】
出力部１０２は、各種の情報を出力する出力手段であり、モニタ（若しくはディスプレイ、タッチパネル）やスピーカなどによって構成される。
【００４４】
通信制御ＩＦ部１０３は、主に放送局端末３０、クライアント端末５０との間における通信を制御する手段である。入出力制御ＩＦ部１０４は、入力部１０１、出力部１０２、通信制御ＩＦ部１０３、記憶部１０５、制御部１０６によるデータの入出力を制御する手段である。
【００４５】
記憶部１０５は、制御部１０６による各種の処理に必要なデータおよびプログラムを記憶する記憶手段である。図４に示すように、この記憶部１０５は、ユーザ管理テーブル１０５ａと、テレビ番組情報管理テーブル１０５ｂと、入力キーワード管理テーブル１０５ｃと、検索キーワード管理テーブル１０５ｄと、視聴状況管理テーブル１０５ｅと、視聴率算出結果データ１０５ｆとを有する。
【００４６】
このうち、ユーザ管理テーブル１０５ａは、サービス提供対象となるユーザを認証する場合に利用されるテーブルであり、例えば、ユーザ識別番号とパスワードとを対応付けて記憶している。
【００４７】
テレビ番組情報管理テーブル１０５ｂは、テレビ番組に関する各種の情報を記憶するテーブルである。図５は、本実施例にかかるテレビ番組情報管理テーブル１０５ｂのデータ構造の一例を示す図である。
【００４８】
図５に示すように、このテレビ番組情報管理テーブル１０５ｂは、番組識別番号と、番組名と、チャンネルと、ジャンルと、放送日時と、出演者と、番組説明と、配信番組データと、検索キーワードと、ＵＲＬ（Uniform  Resource  Locator）とを有する。
【００４９】
図５において、番組説明は、テレビ番組の内容やストーリーなどを含んだ情報であり、配信番組データは、テレビ番組の映像データである。検索キーワードは、テレビ番組に関連するキーワードである。例えば、番組識別番号「１００１」の検索キーワード「おすすめ映画」は、番組名「○×映画劇場」に関連するキーワードである。なお、ＵＲＬは、検索キーワードに関連する情報の場所（例えば、ネット上のアドレス）を指定するデータである。
【００５０】
入力キーワード管理テーブル１０５ｃは、ウィジェットウインドウの検索枠に入力されたキーワードを管理するテーブルである。図６は、本実施例にかかる入力キーワード管理テーブル１０５ｃのデータ構造の一例を示す図である。
【００５１】
図６に示すように、この入力キーワード管理テーブル１０５ｃは、ユーザ識別番号と、番組識別番号と、検索日時と、入力キーワードと、関連性判定結果とを対応付けて記憶している。このうち、ユーザ識別番号は、入力キーワードを入力したユーザを識別する情報であり、番組識別番号は、ユーザが入力キーワードを入力した際に放送されていたテレビ番組を識別する情報である。
【００５２】
また、検索日時は、ユーザが入力キーワードを入力した日時を示す。関連性判定結果は、入力キーワードが、該当するテレビ番組に関連しているか否かを示す情報であり、関連性判定結果が「１」の場合には関連しており、「０」の場合には関連していない旨を示す。例えば、入力キーワード「木村五郎」は、関連性判定結果が「１」であるため、番組識別番号「１００３」の番組に関連している。関連性の有無は、後述する関連性判定処理部１０６ｆによって判定される。
【００５３】
検索キーワード管理テーブル１０５ｄは、ウィジェットウインドウに予め表示される検索キーワードの選択状況を管理するテーブルである。図７は、本実施例にかかる検索キーワード管理テーブル１０５ｄのデータ構造の一例を示す図である。
【００５４】
図７に示すように、この検索キーワード管理テーブル１０５ｄは、ユーザ識別番号と、番組識別番号と、検索日時と、検索キーワードとを対応付けて記憶している。このうち、ユーザ識別番号は、検索キーワードを検索したユーザを識別する情報であり、番組識別番号は、ユーザが検索キーワードを検索した際に放送されていたテレビ番組を識別する情報である。
【００５５】
視聴状況管理テーブル１０５ｅは、テレビ番組を使用している間に、ユーザが視聴行動を起こしたか否かを管理するテーブルである。ここで、テレビ番組の視聴中にユーザが、検索キーワードを検索した場合には、ユーザはテレビ番組に対して視聴行動を起こしたことになる。あるいは、テレビ番組の視聴中にユーザが、入力キーワードを検索し、検索した入力キーワードが視聴中の番組に関連していれば、ユーザは、テレビ番組に対して視聴行動を起こしたことになる。
【００５６】
図８は、本実施例にかかる視聴状況管理テーブル１０５ｅのデータ構造の一例を示す図である。図８に示すように、この視聴状況管理テーブル１０５ｅは、ユーザ識別番号と、番組識別番号と、視聴日時と、視聴行動フラグとを対応付けて記憶している。
【００５７】
このうち、視聴行動フラグは、テレビ番組の視聴中に視聴行動をおこしたか否かを示す情報である。例えば、図８の１段目では、視聴行動フラグが「オン」となっているため、ユーザ識別番号「２００１」のユーザは、番組識別番号「１００３」の番組視聴中に、視聴行動を起こした旨の情報が登録されている。本実施例では、視聴行動率を算出する場合に、視聴行動フラグがオンとなっているユーザのみをテレビ番組の視聴者としてカウントし、視聴行動率を算出する。
【００５８】
視聴率算出結果データ１０５ｆは、視聴行動率および視聴率の算出結果を管理するテーブルである。図９は、本実施例にかかる視聴率算出結果データ１０５ｆのデータ構造の一例を示す図である。図９に示すように、この視聴率算出結果データ１０５ｆは、番組識別番号と、視聴率と、視聴行動率とを対応付けて記憶している。
【００５９】
図４の説明に戻ると、制御部１０６は、各種の処理手順を規定したプログラムや制御データを格納するための内部メモリを有し、これらによって種々の処理を実行する制御手段である。特に、本発明に密接に関連するものとしては、図４に示すように、認証処理部１０６ａと、番組配信処理部１０６ｂと、入力キーワード抽出部１０６ｃと、検索キーワード抽出部１０６ｄと、視聴状況管理部１０６ｅと、関連性判定処理部１０６ｆと、視聴行動率算定部１０６ｇとを有する。
【００６０】
このうち、認証処理部１０６ａは、サービス対象のユーザを認証する手段である。例えば、認証処理部１０６ａは、クライアント端末５０からユーザ識別番号と、パスワードとを受信して、サービス提供要求を受け付けた場合に、受信したユーザ識別番号、パスワードと、ユーザ管理テーブルとを比較することで、サービス対象のユーザを認証する。
【００６１】
認証処理部１０６ａが認証した結果、クライアント端末５０から送信されたユーザ識別番号およびパスワードが適切である場合には、視聴行動率算出装置１００は、クライアント端末５０に対するサービス提供を開始する。
【００６２】
番組配信処理部１０６ｂは、テレビ番組情報管理テーブル１０５ｂを参照し、ユーザが視聴を希望するテレビ番組の情報をクライアント端末５０に出力する手段である。例えば、番組配信処理部１０６ｂが、チャンネル「１」のテレビ番組の視聴を要求された場合には、テレビ番組情報管理テーブル１０５ｂを参照し、番組識別番号「１００１」に対応する各種の情報（番組識別番号、番組名、チャンネル、ジャンル、放送日時、出演者、番組説明、配信番組データ、検索キーワード、ＵＲＬ）をクライアント端末５０に出力する。
【００６３】
なお、番組配信処理部１０６ｂは、放送局端末３０からテレビ番組に関する各種の情報を受信した場合には、受信した各種の情報をテレビ番組情報管理テーブル１０５ｂに登録する。
【００６４】
入力キーワード抽出部１０６ｃは、クライアント端末５０から、入力キーワードと、ユーザ識別番号と、番組識別番号と、検索日時とからなる情報を受信した場合に、受信した各種の情報を入力キーワード管理テーブル１０５ｃに登録する手段である。なお、関連性判定結果の初期値は０となる。
【００６５】
また、入力キーワード抽出部１０６ｃは、入力キーワードに関連する情報をネット上から検索し、検索結果をクライアント端末５０に出力する。なお、入力キーワード抽出部１０６ｃが入力キーワードに関連する情報をネット上から検索する手法は、周知技術を用いる。
【００６６】
検索キーワード抽出部１０６ｄは、クライアント端末５０から、検索キーワードと、ユーザ識別番号と、番組識別番号と、検索日時とからなる情報を受信した場合に、受信した各種の情報を検索キーワード管理テーブル１０５ｄに登録する手段である。
【００６７】
また、検索キーワード抽出部１０６ｄは、検索キーワードに対応するＵＲＬをテレビ番組情報管理テーブル１０５ｂから取得し、取得したＵＲＬに基づいて、ネット上から検索キーワードに関連する情報から検索する。検索キーワード抽出部１０６ｄは、検索キーワードに関連する情報をクライアント端末５０に出力する。
【００６８】
視聴状況管理部１０６ｅは、テレビ番組に対するユーザの視聴状況を監視し、視聴状況管理テーブル１０５ｅを更新する手段である。例えば、視聴状況管理部１０６ｅは、番組配信処理部１０６ｂが、ユーザ識別番号「２００１」のユーザが利用するクライアント端末に番組識別番号「１００３」のテレビ番組を「７月１０日  １８時５分〜７月１０日  １８時４５分」まで配信した場合には、図８の視聴状況管理テーブル１０５ｅの一段目に示す各情報が登録される。
【００６９】
また、視聴状況管理部１０６ｅは、ユーザ識別番号と、番組識別番号と、入力キーワード管理テーブル１０５ｃと、検索キーワード管理テーブル１０５ｄとを比較して、ユーザがテレビ番組視聴中に、視聴行動を起こしたか否かを判定する。視聴状況管理部１０６ｅは、ユーザがテレビの視聴中に視聴行動を起こしたと判定した場合には、視聴行動フラグをオンに設定する。なお、視聴行動フラグの初期設定はオフとなっている。
【００７０】
ここで、視聴状況管理部１０６ｅが、ユーザの視聴行動を判定する処理について具体的に説明する。視聴状況管理部１０６ｅは、まず、視聴状況管理テーブル１０５ｅの各段を参照して、ユーザ識別番号と、番組識別番号との組合せを抽出し、抽出したユーザ識別番号と、番組識別番号との組合せが検索キーワード管理テーブル１０５ｄに存在するか否かを判定する。視聴状況管理部１０６ｅは、ユーザ識別番号と番組識別番号との組合せが検索キーワード管理テーブル１０５ｄに存在する場合には、ユーザがテレビ番組の視聴中に視聴行動を起こしたと判定する。
【００７１】
例えば、視聴状況管理部１０６ｅが、視聴状況管理テーブル１０５ｅから、ユーザ識別番号「２００１」と、番組識別番号「１００３」とを抽出し（図８の１段目参照）、検索キーワード管理テーブル１０５ｄを参照すると、ユーザ識別番号「２００１」と番組識別番号「１００３」との組合せが存在する（図７の１段目参照）。従って、視聴状況管理部１０６ｅは、ユーザ（ユーザ識別番号「２００１」のユーザ）がテレビ番組（番組識別番号「１００３」のテレビ番組）の視聴中に、視聴行動を起こしたと判定する。
【００７２】
視聴状況管理部１０６ｅは、検索キーワード管理テーブル１０５ｄとの比較により、ユーザがテレビ番組の視聴中に視聴行動を起こしていないと判定した場合には、入力キーワード管理テーブル１０５ｃとの比較により、ユーザがテレビ番組の視聴中に視聴行動を起こしたか否かを再度判定する。
【００７３】
視聴状況管理部１０６ｅは、ユーザ識別番号と番組識別番号との組合せが、入力キーワード管理テーブル１０５ｃに存在し、かつ、関連性判定結果が「１」となっているか否かを判定する。視聴状況管理部１０６ｅは、ユーザ識別番号と番組識別番号との組合せが、入力キーワード管理テーブル１０５ｃに存在し、かつ、関連性判定結果が「１」となっている場合には、ユーザがテレビ番組の視聴中に視聴行動を起こしたと判定する。
【００７４】
例えば、ユーザ識別番号「２００２」と番組識別番号「１００１」との組合せは、入力キーワード管理テーブル１０５ｃに存在し、かつ、かかる組合せに対応する関連性判定結果が「１」となっている（図６の３段目参照）。従って、ユーザ（ユーザ識別番号「２００２」のユーザ）がテレビ番組（番組識別番号「１００１」のテレビ番組）の視聴中に、視聴行動を起こしたと判定する。
【００７５】
関連性判定処理部１０６ｆは、テレビ番組情報管理テーブル１０５ｂと、入力キーワード管理テーブル１０５ｃとを基にして類似度を算出し、算出した類似度によって番組視聴中にユーザが入力した入力キーワードが、視聴中のテレビ番組に関連しているか否かを判定する手段である。
【００７６】
具体的に、関連性判定処理部１０６ｆは、判定対象となる入力キーワードと、対応する番組識別番号とを入力キーワード管理テーブル１０５ｃから抽出すると共に、抽出した番組識別番号に対応するテレビ番組の各種情報（例えば、番組名、ジャンル、出演者、番組説明）をテレビ番組情報管理テーブル１０５ｂから抽出する。
【００７７】
そして、テレビ番組の各種情報に対して形態素解析を実行して各キーワードに分解し、各キーワードと、入力キーワードとの類似度を算出する。ここで、類似度を算出する手法は、いかなる周知技術を用いても構わない。例えば、各キーワードと入力キーワードとをベクトルに変換し、コサイン法などを用いて入力キーワードと、各キーワードとの類似度を算出しても良い。あるいは、シソーラスとコーパスのデータの共起情報とから求めたパラメータに基づき、２つの単語間の距離を算出することで、類似度を算出しても良い（例えば、特開２００５−３８１６２号公報参照）。
【００７８】
関連性判定処理部１０６ｆは、テレビ番組の各キーワードと、入力キーワードとの類似度が所定値以上の場合には、入力キーワードに対応する関連性判定結果を「１」に設定し、所定値未満の場合には、入力キーワードに対応する関連性判定結果を「０」に設定する。
【００７９】
視聴行動率算出部１０６ｇは、視聴状況管理テーブル１０５ｅに基づいて、視聴行動率と視聴率とを算出し、算出結果を視聴率算出結果データ１０５ｆに登録する手段である。視聴行動率算出部１０６ｇは、視聴行動率を算出する場合には、視聴状況管理テーブル１０５ｅを参照し、視聴行動フラグがオンとなっているユーザ識別番号のユーザを、実際にテレビ番組を視聴した視聴者としてカウントし、カウントした視聴者と、全体の視聴者（各番組の視聴者）との割合から、視聴行動率を算出する。
【００８０】
また、視聴行動率算出部１０６ｇは、視聴状況管理テーブル１０５ｅを参照し、視聴行動フラグのオンオフに限らず、テレビ番組の視聴者をカウントし、カウントした視聴者と、全体の視聴者との割合から視聴率を算出する。
【００８１】
次に、本実施例にかかる視聴行動率算出装置１００の処理手順について説明する。図１０は、本実施例にかかる視聴行動率算出装置１００の処理手順を示すフローチャートである。図１０に示すように、視聴行動率算出装置１００は、クライアント端末５０からサービス要求を受信し（ステップＳ１０１）、番組配信処理部１０６ｂが、テレビ番組の配信を行う（ステップＳ１０２）。
【００８２】
そして、検索キーワード抽出部１０６ｄが、検索キーワードが選択されたか否かを判定し（ステップＳ１０３）、検索キーワードが選択されていない場合には（ステップＳ１０４，Ｎｏ）、ステップＳ１０６に移行する。
【００８３】
一方、検索キーワードが選択された場合には（ステップＳ１０４，Ｙｅｓ）、検索キーワード抽出部１０６ｄが、検索キーワード管理テーブル１０５ｄを更新し（ステップＳ１０５）、入力キーワード抽出部１０６ｃが、入力キーワードが入力されたか否かを判定する（ステップＳ１０６）。
【００８４】
入力キーワードが入力されていない場合には（ステップＳ１０７，Ｎｏ）、ステップＳ１０９に移行する。一方、入力キーワードが入力された場合には（ステップＳ１０７，Ｙｅｓ）、入力キーワード抽出部１０６ｃが、入力キーワード管理テーブル１０５ｃを更新する（ステップＳ１０８）。
【００８５】
そして、番組配信処理部１０６ｂは、テレビ番組の配信が終了したか否かを判定し（ステップＳ１０９）、終了していない場合には（ステップＳ１１０，Ｎｏ）、テレビ番組の配信を継続し（ステップＳ１１１）、ステップＳ１０３に移行する。
【００８６】
一方、テレビ番組の配信が終了した場合には（ステップＳ１１０，Ｙｅｓ）、番組配信処理部１０６ｂは、テレビ番組の配信を停止し（ステップＳ１１２）、視聴状況管理部１０６ｅが視聴状況管理テーブル１０５ｅを更新する（ステップＳ１１３）。
【００８７】
関連性判定処理部１０６ｆは、入力キーワード管理テーブル１０５ｃの入力キーワードの関連性を判定し、判定結果を登録し（ステップＳ１１４）、視聴行動率算出部１０６ｇは、視聴率および視聴行動率を算出する（ステップＳ１１５）。
【００８８】
上述してきたように、本実施例にかかる視聴行動率算出装置１００は、ウィジェット機能を利用して、クライアント端末からの要求に応じ、テレビ番組のデータを配信している間（ユーザがテレビ番組を視聴している間）に、配信中のテレビ番組の内容に関連するキーワードをユーザが検索したか否かの情報を取得する。そして、視聴行動率算出装置１００は、テレビ番組を視聴している全ユーザのうち、テレビ番組の内容に関連するキーワードを検索したユーザのみをテレビ番組を実際に視聴した視聴者としてカウントし、テレビ番組の視聴行動率を算出するので、実際にテレビ番組を視聴していないユーザを視聴者から除外することができ、結果として、正確な視聴行動率を算出することができる。
【００８９】
なお、上記の実施例において説明した視聴行動率算出装置１００の視聴率算出方法をコンピュータが実行可能な形式で記述した視聴率算出プログラムを生成し、この視聴率算出プログラムをコンピュータに実行させることにより、本発明のテレビ分析装置１００と同様の処理を実現することも可能である。このとき、視聴率算出プログラムをコンピュータが読取可能な記憶媒体に記憶させ、記憶媒体を用いてコンピュータに視聴率算出プログラムを導入することも可能である。
【産業上の利用可能性】
【００９０】
本発明は、実際にテレビ番組を視聴していないユーザを視聴から除外し、正確に視聴率を算出する必要がある場合に適用することができる。
【図面の簡単な説明】
【００９１】
【図１】本実施例にかかるシステムの構成を示す図である。
【図２】本実施例にかかるクライアント端末の構成を示す機能ブロック図である。
【図３】ウィジェットウインドウの一例を示す図である。
【図４】本実施例にかかる視聴行動率算出装置の構成を示す機能ブロック図である。
【図５】本実施例にかかるテレビ番組情報管理テーブルのデータ構造の一例を示す図である。
【図６】本実施例にかかる入力キーワード管理テーブルのデータ構造の一例を示す図である。
【図７】本実施例にかかる検索キーワード管理テーブルのデータ構造の一例を示す図である。
【図８】本実施例にかかる視聴状況管理テーブルのデータ構造の一例を示す図である。
【図９】本実施例にかかる視聴率算出結果データのデータ構造の一例を示す図である。
【図１０】本実施例にかかる視聴行動率算出装置の処理手順を示すフローチャートである。
【符号の説明】
【００９２】
１０    ネットワーク
３０    放送局端末
５０    クライアント端末
５１，１０１    入力部
５２，１０２    出力部
５３，１０３    通信制御ＩＦ部
５４，１０４    入出力制御ＩＦ部
５５，１０５    記憶部
５６，１０６    制御部
５６ａ  ウィジェット制御部
５６ｂ  視聴行動通知部
１００    視聴行動率算出装置
１０５ａ  ユーザ管理テーブル
１０５ｂ  テレビ番組情報管理テーブル
１０５ｃ  入力キーワード管理テーブル
１０５ｄ  検索キーワード管理テーブル
１０５ｅ  視聴状況管理テーブル
１０５ｆ  視聴率算出結果データ
１０６ａ  認証処理部
１０６ｂ  番組配信処理部
１０６ｃ  入力キーワード抽出部
１０６ｄ  検索キーワード抽出部
１０６ｅ  視聴状況管理部
１０６ｆ  関連性判定処理部
１０６ｇ  視聴行動率算出部
【手続補正２】
【補正対象書類名】図面
【補正対象項目名】図１
【補正方法】変更
【補正の内容】
【図１】
2010034674.tif 000013
【手続補正３】
【補正対象書類名】図面
【補正対象項目名】図４
【補正方法】変更
【補正の内容】
【図４】
2010034674.tif 000014